(57)【特許請求の範囲】
【請求項１】
互いに略９０°に位置する一対の部材を有する外側片と、前記外側片の上端部に連続する上面と、前記上面に連続し前記外側片と所定間隔をあけて対面する一対の部材を有する内側片が設けられ、前記上面には、前記外側片の延長上に突出する一対の部材を有する立上片が設けられている段ボール箱用開口維持具であって、
前記外側片と前記内側片は、所定位置を通過する折線で略９０°に折り曲げられた板体であり、前記上面は、前記外側片と前記内側片とが各々連続する端部を有するＬ字形の板体であり、
前記立上片は、前記外側片と面一に連続し前記折線の延長線で折り曲げられた板体であり、
前記内側片の前記上面と反対側の下端部は、前記外側片の下端部よりも長く形成され、前記一対の内側片の前記折線と側縁部の間の長さは、前記外側片の前記折線と側縁部の間の長さに比べて短く形成され、
前記外側片の前記内側片に対面する裏面には、前記内側片に向かって突出するリブが一体に設けられており、前記リブは、前記側縁部に対して平行に形成された突条であり、前記リブの上端は前記上端部に接し、前記外側片の裏面から突出する高さは上端が一番高く下端に近づくにつれて徐々に低くなる三角形状となり、
前記内側片の前記折線で区切られた一対の面は、前記外側片の一対の面に対して僅かに傾斜し、前記内側片の前記下端部に近づくにつれて前記外側片から離れるように傾斜していることを特徴とする段ボール箱用開口維持具。
【発明の詳細な説明】
【技術分野】
【０００１】
この発明は、段ボール箱に収容物を箱詰めして収納する際、段ボール箱の蓋部が自然に閉蓋状態とならないように、蓋部に取り付けて開口状態を維持する段ボール箱用開口維持具に関する。
【背景技術】
【０００２】
段ボール箱に収容物を箱詰めする際、段ボール箱の蓋部が支障とならないように、蓋部を段ボール箱の側面の表面に重ねるように折り返して用いることがある。しかし、段ボールの弾性力で折り目が自然に復元して、蓋部が段ボール箱の外側に広がったり開口部を閉じたりすることがあり、箱詰め作業の支障となることがある。また狭い通路等で箱詰め作業を行う際には、蓋部が段ボール箱の外側に広がると他の作業者の通行等の邪魔になるものである。
【０００３】
そこで、蓋部が閉じたり広がったりすることを防ぐため、粘着テープ等で蓋部を側面の表面に止めることがあるが、手間がかかって面倒であり、また作業が終わった後に粘着テープを剥がすと段ボール箱に跡が付くことがあり、外観が悪くなる場合がある。従来、段ボール箱の蓋部を側面の表面に沿って折り曲げた状態で係止して、開口を維持するためにいろいろな開口維持具が考えられている。
【０００４】
例えば、特許文献１に開示されている段ボール箱用開口維持具は、段ボール箱のコーナー部の上端に接当する係止部を介して、同箱の内側に位置する引っ掛け部と、同箱の外側に位置する位置する垂下体と、この垂下体の下端か下端近くから両横方向で水面視において前記引っ掛け部を挟む略９０°開角方向に突出する左右の抑え部とを備えている。この段ボール用開口維持具は、段ボール箱のコーナーに引っ掛け部で係止し、左右の抑え部でコーナーの両側に位置する一対の蓋部を押さえて、閉蓋を防ぐものである。
【０００５】
また、特許文献２に開示されている段ボール箱のフラップ押さえ用クリップは、一片と他片と頂部とからなる側面視略Ｕ字状の板状体である。この段ボール箱のフラップ押さえ用クリップは、段ボール箱の蓋部を側面の表面に重合させた状態で、側面と蓋部との折り目縁部に装着して、蓋部を抑えるものである。
【先行技術文献】
【特許文献】
【０００６】
【特許文献１】特開平１１−２９２０２７号公報
【特許文献２】実開平６−１２３０８号公報
【発明の概要】
【発明が解決しようとする課題】
【０００７】
上記背景技術の場合、特許文献１の段ボール箱用開口維持具は、段ボールの蓋を側面の表面に沿って折り曲げた状態で開口を維持することができるが、その他の機能は持たないものである。例えば段ボール箱に入りきらない収容物を側面よりも高く積んで仮置きすることがあり、仮置きした収容物が倒れないように各蓋部を側面の延長線上に立てて筒状に保持する機能は有していない。また、箱詰め作業の途中で開口を維持した段ボール箱同士を仮に上下に重ねて置くことがあり、重ねた段ボール箱同士が崩れないように係止する機能も持たないものである。
【０００８】
特許文献２の段ボール箱のフラップ押さえ用クリップも、特許文献１と同様に、単に蓋を側面の表面に沿って折り曲げた状態で開口を維持するものであり、各蓋を側面の延長線上に立てて筒状に組み立てたり、また開口を維持した段ボール箱同士を上下に重ねて係止したりする機能は持たないものである。
【０００９】
この発明は、上記背景技術の問題点に鑑みてなされたものであり、簡単な構造で、段ボール箱の箱詰め作業の際に確実に蓋部を開口状態で維持することができ、また蓋部を段ボール箱の側面の延長線上に立てて筒状に組み立てる機能と、開口状態の段ボール箱同士を上下に重ねる機能を有する段ボール箱用開口維持具を提供することを目的とする。
【課題を解決するための手段】
【００１０】
本発明は、互いに略９０°に位置する一対の部材を有する外側片と、前記外側片の上端部に連続する上面と、前記上面に連続し前記外側片と所定間隔をあけて対面する一対の部材を有する内側片が設けられ、前記上面には、前記外側片の延長上に突出する一対の部材を有する立上片が設けられている段ボール箱用開口維持具である。
【００１１】
前記外側片と前記内側片は、所定位置を通過する折線で略９０°に折り曲げられた板体であり、前記上面は、前記外側片と前記内側片とが各々連続する端部を有するＬ字形の板体である。
【００１２】
前記立上片は、前記外側片と面一に連続し前記折線の延長線で折り曲げられた板体である。
【００１３】
前記外側片の前記内側片に対面する裏面には、前記内側片に向かって突出するリブが一体に設けられている。
【００１４】
前記内側片の前記上面と反対側の下端部は、前記外側片の下端部よりも長く形成されている。
【発明の効果】
【００１５】
本発明の段ボール箱用開口維持具は、簡単な構造で、確実に段ボール箱の蓋を側面の表面に折り曲げた状態で開口を維持することができ、蓋部が箱詰め作業の支障となることを防ぎ、作業効率を向上させることができる。さらに、蓋部を側面の上方に筒状に組み立てた状態を維持することもでき、段ボール箱に入りきらない収容物を側面よりも高く積んで仮置きする際に収容物が倒れないように支えることができる。また、蓋部を側面の表面に折り曲げて開口を維持した段ボール箱同士を上下に重ねる際に、重ねた段ボール箱同士が崩れないように係止することもできる。そして、前記機能により、箱詰め作業を円滑にし、作業効率を向上させることができる。
【図面の簡単な説明】
【００１６】
【図１】この発明の一実施形態の段ボール箱用開口維持具の内側片から見た斜視図である。
【図２】この実施形態の段ボール箱用開口維持具の外側片から見た斜視図である。
【図３】この実施形態の段ボール箱用開口維持具の平面図である。
【図４】この実施形態の段ボール箱用開口維持具の正面図である。
【図５】この実施形態の段ボール箱用開口維持具の使用状態を示す斜視図である。
【図６】この実施形態の段ボール箱用開口維持具の使用状態を示す斜視図である。
【図７】この実施形態の段ボール箱用開口維持具の使用状態を示す斜視図である。
【図８】この発明の他の実施形態の段ボール箱用開口維持具の内側片から見た斜視図である。
【発明を実施するための形態】
【００１７】
以下、この発明の実施形態について図面に基づいて説明する。図１〜図４はこの発明の一実施形態を示すもので、この実施形態の段ボール箱用開口維持具１０は、合成樹脂で一体に形成されたものであり、矩形の板体で形成された外側片１２が設けられている。外側片１２は、使用状態で上方に位置する上端部１２ｃと、使用状態で下方に位置し上端部１２ｃに対して平行な下端部１２ｂと、上端部１２ｃと下端部１２ｂを結ぶ垂直で互いに平行な一対の側縁部１２ａで矩形に形成され、一対の側縁部１２ａの中間に位置する折線１４で約９０°に折り曲げられている。外側片１２は、折線１４を挟んで９０°に位置する面を裏面とし、反対側の面を表面とする。下端部１２ｂには、外側片１２の表面から外側にわずかに突出するフランジ部１６が下端部１２ｂの全長にわたって設けられ、外側片１２を補強している。
【００１８】
外側片１２の上端部１２ｃには、Ｌ字形の板状の上面１８が互いに直角に連続して設けられている。上面１８は、Ｌ字形の外側に位置する端部１８ａと、端部１８ａに対して平行でＬ字形の内側に位置する端部１８ｂが設けられ、端部１８ａが外側片１２の上端部１２ｃに連続し、上面１８の端部１８ａと、外側片１２の上端部１２ｃは同じ長さで互いに一致して連続している。
【００１９】
上面１８の端部１８ａには、９０°に折り曲げられた矩形の板体の立上片２０が上方に突出して設けられている。立上片２０は、外側片１２と面一に連続し折線１４の延長線で折り曲げられている。立上片２０は、高さと幅が、外側片１２の１／２〜１／３程度の小さい板体である。
【００２０】
上面１８の端部１８ｂには、９０°に折り曲げられた矩形の板体の内側片２２が下方に突出して設けられ、外側片１２に所定間隔をあけて対面している。内側片２２は、上面１８の端部１８ｂに連続する上端部２２ｃと、下方に位置し上端部２２ｃに対して平行な下端部２２ｂと、上端部２２ｃと下端部２２ｂを結ぶ垂直で互いに平行な一対の側縁部２２ａで矩形に形成されている。内側片２２は、一対の側縁部２２ａの中間を通過する折線２４で９０°に折り曲げられ、折線２４は上面１８の端部１８ｂの角部に一致している。内側片２２は、上端部２２ｃから下端部２２ｂまでの長さは、外側片１２の上端部１２ｃから下端部１２ｂまでの長さに比べて長く、折線２４と側縁部２２ａの間の長さは、外側片１２の折線１４と側縁部１２ａの間の長さに比べて短く形成されている。内側片２２の折線２４で区切られた一対の面は、外側片１２の一対の面に対して僅かに傾斜し、内側片２２の下端部２２ｂに近づくにつれて外側片１２から離れるように傾いている。内側片２２の折線２４も外側片１２の折線１４から、下端部に近づくにつれて離れるように傾いている。さらに、内側片２２の、上面１８の端部１８ｂに連続する上端部２２ｃの長さよりも下端部２２ｂの長さは僅かに短く形成されている。
【００２１】
外側片１２の裏面には、リブ２６が設けられている。リブ２６は、側縁部１２ａに対して平行に形成された突条であり、上端部は上端部１２ｃに接し下端部は外側片１２の中心付近に達している。外側片１２の裏面から突出する高さは、上端部が一番高く、下端部に近づくにつれて徐々に低くなり、下端部では外側片１２に連続し、三角形状となる。
【００２２】
次に、この実施形態の段ボール箱用開口維持具１０の使用方法について図５に基づいて説明する。段ボール箱用開口維持具１０は、段ボール箱３０の蓋部３６を開いた状態で係止するために用いられる。ここで、段ボール箱３０について説明する。段ボール箱３０は、折罫線３１で区切られた４個の側面３２が四角筒状に組み立てられ、側面３２の下端部には底部３４が設けられて閉鎖されている。側面３２の上端部には、蓋部３６が各々折罫線３８で区切られて設けられている。蓋部３６は、折罫線３８で９０°に折り曲げて開口を閉鎖するものである。
【００２３】
段ボール箱３０に収容物を入れる際は、各蓋部３６を折罫線３８で外側に折り、各側面３２の表面に重ねる。そして、四角筒状になった側面３２の四隅に、段ボール箱用開口維持具１０を取り付ける。段ボール箱用開口維持具１０の、内側片２２の折線２４を、段ボール箱３０の四隅の折罫線３１に沿って段ボール箱３０の裏面に上から差し込む。このとき、段ボール箱用開口維持具１０の外側片１２が、蓋部３６の、折り返されて外側となった裏面に沿って下降する。上面１８が折罫線３８に当接して取り付けが完了し、この時、側面３２と蓋部３６は内側片２２と外側片１２に挟持されて二つ折りとなり、係止される。これにより、折罫線３８が広がることがなく、蓋部３６が側面３２の表面から離れて横方向に広がったり、筒体の内側に閉じたりすることがなく、開状態が維持される。なお、段ボール箱用開口維持具１０は、段ボール箱３０の四隅に各々取り付けることが好ましいが、対角線上に位置する２か所のみに取り付けてもよい。２か所のみに取り付けた場合でも、１個の段ボール箱用開口維持具１０が隣接する２個の蓋部３６を抑えるため、閉じることを防ぐ。段ボール箱用開口維持具１０は深く差し込むほどリブ２６で蓋部３６が締め付けられ、確実に開口を維持する。
【００２４】
収容物を入れる作業が終わった後は、段ボール箱用開口維持具１０を上方に引き抜いて外す。蓋部３６は折罫線３８で開口部側に９０°に折り、開口部を閉鎖する。粘着テープやロープ等を使用して通常の作業で梱包を行う。
【００２５】
また、図６に示すように、複数個の同形状の段ボール箱３０の四隅に段ボール箱用開口維持具１０を各々取り付け、段ボール箱３０同士を上下に積み重ねることもできる。段ボール箱３０に段ボール箱用開口維持具１０を取り付けると、段ボール箱用開口維持具１０の立上片２０が上方に突出して設けられ、４個の立上片２０の内側に同形状の段ボール箱３０の底部３４を嵌合させて積み重ねる。立上片２０が上の段ボール箱３０の四隅を支え、崩れないように保持するものである。
【００２６】
また、図７に示すように、段ボール箱３０の蓋部３６を、折罫線３８で折り曲げずに上方に突出させて側面３２の延長上に筒体を組み立てた状態で、一対の蓋部３６が接する角部に段ボール箱用開口維持具１０を取り付けて、係止することもできる。これは、段ボール箱３０に入りきらない収容物を側面３２より高く積んで仮置きする際に、収容物が倒れないように支えるものである。
【００２７】
この実施形態の段ボール箱用開口維持具１０によれば、簡単な構造で、確実に段ボール箱３０の蓋部３６を側面３２の表面に折り曲げた状態で開口を維持することができ、蓋部３６が箱詰め作業の支障となることを防ぎ、作業効率を向上させることができる。さらに、蓋部３６を側面３２の上方に筒状に組み立てた状態を維持することもでき、段ボール箱３０に入りきらない収容物を側面３２より高く積んで仮置きする際に収容物が倒れないように支えることができる。また、蓋部３６を側面３２の表面に折り曲げた状態で開口を維持した段ボール箱３０同士を上下に重ねる際に、重ねた段ボール箱３０同士が崩れないように係止することもできる。前記の３種類の機能を持ち、箱詰め作業を円滑にし、作業効率を向上させることができる。また蓋部３６は段ボール箱３０の外側に略水平に広がると、箱詰め作業の支障となり、また狭い通路等で作業を行う際には他の作業者の行動の邪魔になるものであるが、これを防ぐことができる。
【００２８】
また、外側片１２よりも内側片２２が長く形成されて下方に突出しているため、段ボール箱用開口維持具１０を段ボール箱３０に取り付ける時に、内側片２２の折線２４を段ボール箱３０の折罫線３１に沿って差込みやすく、折罫線３１に沿わせて移動させて簡単に取り付けることができる。さらに、リブ２６が段ボール箱３０の蓋部３６の表面に弾性的に僅かに食い込み、確実に保持する。
【００２９】
なお、この発明の段ボール箱用開口維持具は、上記実施の形態に限定されるものではなく、図７に示すように、段ボール箱３０の蓋部３６を、折罫線３８で折り曲げずに上方に突出させて側面３２の延長上に筒体を組み立てる際の好適な形状として、図８に示す段ボール箱用開口維持具４０のようにしても良い。この段ボール箱用開口維持具４０は、外側片１２の一対の側縁部１２ａに沿って、リブ２６よりも高さの高いリブ４２を形成し、さらに中心部に近い部分にも、リブ２６と平行に高さの高いリブ４４を形成したものである。
【００３０】
これにより、厚みが蓋部３６の１枚分しかない状態で外側片１２と内側片２２により蓋部３６を挟持する場合も、リブ４２，４４が確実に蓋片３６に圧接し、保持する。
【００３１】
その他、この発明の段ボール箱用開口維持具は、細部形状や寸法等、適宜変更することができる。段ボール箱用開口維持具の材質や色彩などは自由に選択することができる。例えば、材質は合成樹脂の他に金属等でもよい。内側片は外側片よりも長く形成されているが、同じ長さでもよく、逆に短くてもよい。リブの本数や形状は自由に変更可能であり、確実に段ボール箱の側面と蓋部を二つ折りして挟持するものであれば良い。内側片は、外側片に対して傾斜しているが、平行でもよい。
【符号の説明】
【００３２】
１０  段ボール箱用開口維持具
１２  外側片
１２ｂ，２２ｂ  下端部
１４  折線
１８  上面
２０  立上片
２２  内側片
２４  折線
２６  リブ
３０  段ボール箱
【図１】
0006292629.tif 000002
【図２】
0006292629.tif 000003
【図３】
0006292629.tif 000004
【図４】
0006292629.tif 000005
【図５】
0006292629.tif 000006
【図６】
0006292629.tif 000007
【図７】
0006292629.tif 000008
【図８】
0006292629.tif 000009